(57)【特許請求の範囲】
【請求項１】
敷設された水平鉄筋群を内部に有したコンクリート製のベタ基礎と、該ベタ基礎の外周部に立設されるコンクリート製の布基礎と、該布基礎の内側の所定位置であって上記水平鉄筋群に連結されて立設された立設鉄筋群を内部に有し上記ベタ基礎に連設されるコンクリート製の複数の支柱基礎とを備え、該支柱基礎を、内部空間が錐台形状に形成され成形後に取外される支柱型枠によって錐台形状に成形した建物用基礎を施工する建物用基礎の施工方法であって、
上記水平鉄筋群及び立設鉄筋群を構築する鉄筋群構築工程と、
上記水平鉄筋群に上記立設鉄筋群を露出させた状態でコンクリートを打設してベタ基礎を構築するベタ基礎構築工程と、
上記ベタ基礎の周囲に布基礎を構築する布基礎構築工程と、
上記ベタ基礎構築工程後に、構築されたベタ基礎から露出した立設鉄筋群にコンクリートを打設して支柱基礎を構築する支柱基礎構築工程とを備え、
該支柱基礎構築工程は、
上記支柱型枠をその内部空間に上記立設鉄筋群を包容して上記ベタ基礎上に設置する支柱型枠設置工程と、
該支柱型枠設置工程後に、設置した支柱型枠内にコンクリートを打設して支柱基礎を成形する成形工程と、
該成形工程後に、成形された支柱基礎から支柱型枠を取り外す支柱型枠取外し工程とを備え、
予め、上下方向の貫通孔が形成されるとともに上記支柱型枠の上端に架設され該支柱型枠を上記ベタ基礎に対して押えるための押え部材と、上記ベタ基礎内に埋設される下端部を有するとともに上記押え部材の貫通孔に挿通させられ雄ネジ部が形成された先端部を有した押えアンカーボルトと、上記押え部材の貫通孔に貫通させられた押えアンカーボルトの雄ネジ部に螺合し、締め付けられて上記押え部材を介して上記支柱型枠を上記ベタ基礎側に押圧する押えナットとを用意し、
上記鉄筋群構築工程において、上記押えアンカーボルトをその下端部が上記水平鉄筋群に臨みその先端部が上記立設鉄筋群から突出するように設置し、且つ、上記押えアンカーボルトをその軸線が上記支柱基礎の垂直中心軸線Ｐに沿うように設置し、
上記支柱型枠設置工程において、上記支柱型枠をベタ基礎上に載置し、それから、上記押え部材をその貫通孔を上記押えアンカーボルトの雄ネジ部に挿通させて上記支柱型枠の上端に架設し、その後、上記押えナットを上記押えアンカーボルトの雄ネジ部に螺合して締め付け、該押え部材により上記支柱型枠を上記ベタ基礎に対して押え、
上記支柱型枠取外し工程において、上記支柱型枠を取り外す前に、上記押えナット及び押え部材を上記押えアンカーボルトから外すようにし、
予め、上記支柱基礎内に埋設されるとともに上記支柱基礎の上面から突出させられる雄ネジ部が形成された先端部を有し、該支柱基礎に設置される土台を固定するための固定アンカーボルトを用意し、
上記成形工程前に、上記固定アンカーボルトをその下端部側が上記立設鉄筋群に臨みその先端部が該立設鉄筋群から突出するように設置し、且つ、上記固定アンカーボルトをその軸線が上記押えアンカーボルトが設置される上記支柱基礎の垂直中心軸線Ｐよりも所定距離離間するように設置し、
上記支柱型枠取外し工程後に、上記押えアンカーボルトの上記支柱基礎の上面から突出した部位を切断することを特徴とする建物用基礎の施工方法。
【請求項２】
予め、上記押えアンカーボルトの雄ネジ部に上記支柱基礎の上面位置を示す指標ナットを螺合して設け、
上記成形工程前に、上記指標ナットの位置調整を行なって、該指標ナットにより上記支柱基礎の上面位置を規定することを特徴とする請求項１記載の建物用基礎の施工方法。
【発明の詳細な説明】
【技術分野】
【０００１】
本発明は、住宅等の建物に係る建物用基礎構造，建物用基礎の施工方法及びこれに用いる型枠に関する。
【背景技術】
【０００２】
従来から、住宅等の建物用基礎構造として、例えば、実公平３−２２３５９号公報（特許文献１）あるいは特許第３１７９７３８号公報（特許文献２）に掲載された技術が知られている。この建物用基礎構造は、図９に示すように、外周に布基礎１００を設け、この布基礎１００の内側に、円柱状の支柱基礎１０１（コラム基礎とも言う）を所要部位に複数立設して構成されている。布基礎１００及び支柱基礎１０１上には土台（図示せず）が設置される。これにより、（イ）床下空間の通風性を改善することができ、カビ類の発生を抑制して建物の耐久性の向上を図ることができる。（ロ）床下空間を広くすることができ、床下配管等の施工やメンテナンスを容易にすることができる。（ハ）型枠量やコンクリート量を減らすことができる等の利点を有する。
【０００３】
このような建物用基礎の施工方法は、従来、例えば、上記の特許文献２に記載され、図１０に示すように、予め構築したフーチング１０２の上部に、布基礎用１００の埋め込み型の布基礎型枠（図示せず）を設置するとともに、この布基礎型枠の内側において、支柱基礎１０１用の埋め込み型の支柱型枠１０３（コラム型枠とも言う）を設置する。次いで、その後、これら布基礎型枠及び支柱型枠１０３内にコンクリートを注入して養生する。養生後、布基礎型枠及び支柱型枠１０３は構造物の一部としてそのまま残し、布基礎１００及び支柱基礎１０１を構築する。この埋め込み型の布基礎型枠及び支柱型枠１０３においては、基礎の高さを調整するために、高さ調整機構（図示せず）を備えている。
【先行技術文献】
【特許文献】
【０００４】
【特許文献１】実公平３−２２３５９号公報
【特許文献２】特許第３１７９７３８号公報
【発明の概要】
【発明が解決しようとする課題】
【０００５】
ところで、上記従来の建物用基礎構造の支柱基礎１０１にあっては、円柱状に形成されているがこれに設置される土台の支持強度が必ずしも良いとはいえない。また、その施工方法においては、埋め込み型の支柱型枠１０３を用いているので、それだけコスト高になっているという問題もある。特に、高さ調整機構を備えたものは高価になる。これを解決するために、繰り返しの使用ができる円筒状の支柱型枠（図示せず）を用いることも考えられるが、円筒状なので、支柱型枠を外す際に支柱との摩擦抵抗が大きく生じることから、施工作業性が悪くなる。
【０００６】
本発明は上記の問題点に鑑みて為されたもので、支柱基礎の土台の支持強度を向上させるとともに、施工を容易にして施工作業性を向上させ、安価にできるようにした建物用基礎の施工方法を提供することを目的とする。
【課題を解決するための手段】
【０００７】
このような目的を達成するための本発明の建物用基礎構造は、敷設された水平鉄筋群を内部に有したコンクリート製のベタ基礎と、該ベタ基礎の外周部に立設されるコンクリート製の布基礎と、該布基礎の内側の所定位置であって上記水平鉄筋群に連結されて立設された立設鉄筋群を内部に有し上記ベタ基礎に連設されるコンクリート製の複数の支柱基礎とを備え、該支柱基礎を、内部空間が錐台形状に形成され成形後に取り外される支柱型枠によって錐台形状に成形した構成としている。錘台形状とは、三角錐台，四角錘台等の角錐台、あるいは、円錐台の形状をいう。
【０００８】
この構成によれば、支柱基礎を施工するときは、布基礎の内側の所定箇所に支柱型枠を設置し、これに、コンクリートを打設し、養生して固化したならば、支柱型枠を取り外す。これにより、ベタ基礎上に立設鉄筋群を内部に有した支柱基礎が構築される。この場合、最後には取り外される支柱型枠で成形するので、支柱型枠は、比較的簡易な形状にすることができ、また、繰り返し使用することができることからコストダウンを図ることができる。また、支柱型枠を取り外す際には、支柱型枠は、内部空間が錐台形状に形成されているので、支柱基礎から抜けやすく、そのため、取り外しを極めて容易に行うことができ、それだけ、施工作業性を向上させることができる。更に、支柱型枠は取り外されるので、コンクリートの注入量により支柱基礎の高さ調整を行なうことができ、従来のように、高さ調整機構を設ける必要がないことから、それだけ、施工作業が容易であり、コストダウンを図ることができる。
【０００９】
そして、構築された支柱基礎は、錐台形状に形成されているので、ベタ基礎に向けて末広がりになり、土台からの圧力がベタ基礎に広範囲に伝達されることから、安定性が向上させられ、土台の支持強度を大幅に向上させることができる。また、支柱基礎は、ベタ基礎の水平鉄筋群に連結されて立設された立設鉄筋群を内部に有しているので、ベタ基礎との結合力が強く、また、補強も強固になることから、この点でも、土台の支持強度を大幅に向上させることができる。更に、空気の流動が円柱状に比較してよりスムーズになる。
【００１０】
そして、必要に応じ、上記支柱基礎の外側面のベタ基礎に対する内角θを、６５°≦θ≦８５°に設定した構成としている。望ましくは、７０°≦θ≦８０°である。この範囲で支持安定性及び空気流通性を確実に確保することができる。
【００１１】
また、必要に応じ、上記立設鉄筋群の外形を上記支柱基礎の外形と略相似形の錐台形状に形成している。立設鉄筋群の外形とは、この立設鉄筋群の垂直中心軸線を中心にして回転されて形成される外形をいう。これにより、鉄筋群の外側と支柱基礎の表面までの所謂「かぶり」といわれる厚さを均等なものにすることができ、支柱基礎の強度を確実に確保することができる。
【００１２】
更に、必要に応じ、上記支柱基礎に、該支柱基礎の上面から突出する雄ネジ部を有し該支柱基礎に設置される土台を固定するための固定アンカーボルトを埋設した構成としている。固定アンカーボルトを利用して土台を確実に固定することができる。
【００１３】
また、上記目的を達成するための本発明の建物用基礎の施工方法は、敷設された水平鉄筋群を内部に有したコンクリート製のベタ基礎と、該ベタ基礎の外周部に立設されるコンクリート製の布基礎と、該布基礎の内側の所定位置であって上記水平鉄筋群に連結されて立設された立設鉄筋群を内部に有し上記ベタ基礎に連設されるコンクリート製の複数の支柱基礎とを備え、該支柱基礎を、内部空間が錐台形状に形成され成形後に取外される支柱型枠によって錐台形状に成形した建物用基礎を施工する建物用基礎の施工方法であって、
上記水平鉄筋群及び立設鉄筋群を構築する鉄筋群構築工程と、
上記水平鉄筋群に上記立設鉄筋群を露出させた状態でコンクリートを打設してベタ基礎を構築するベタ基礎構築工程と、
上記ベタ基礎の周囲に布基礎を構築する布基礎構築工程と、
上記ベタ基礎構築工程後に、構築されたベタ基礎から露出した立設鉄筋群にコンクリートを打設して支柱基礎を構築する支柱基礎構築工程とを備え、
該支柱基礎構築工程は、
上記支柱型枠をその内部空間に上記立設鉄筋群を包容して上記ベタ基礎上に設置する支柱型枠設置工程と、
該支柱型枠設置工程後に、設置した支柱型枠内にコンクリートを打設して支柱基礎を成形する成形工程と、
該成形工程後に、成形された支柱基礎から支柱型枠を取り外す支柱型枠取外し工程とを備えた構成としている。
【００１４】
この構成によれば、支柱基礎を施工するときは、鉄筋群構築工程で、水平鉄筋群及び立設鉄筋群を構築し、ベタ基礎構築工程で、立設鉄筋群を露出させた状態で水平鉄筋群にコンクリートを打設してベタ基礎を構築する。また、布基礎構築工程では、例えば、予め、鉄筋群構築工程で布基礎用の鉄筋を設けておき、ベタ基礎構築工程後に、布基礎用の型枠を設置して、これにコンクリートを打設し、養生して固化したならば、型枠を取り外してベタ基礎の周囲に布基礎を構築する。布基礎構築工程は、例えば、ブロック状の布基礎をベタ基礎に構築し、あるいは、上記従来技術で示したように、布基礎用の埋め込み型の布基礎型枠をベタ基礎上に設置し、この布基礎型枠にコンクリートを打設して構築する等、適宜の方法で布基礎を設けて良い。
【００１５】
そして、支柱基礎構築工程において、構築されたベタ基礎から露出した立設鉄筋群にコンクリートを打設して支柱基礎を構築する。この際には、先ず、支柱型枠設置工程で、支柱型枠を、その内部空間に立設鉄筋群を包容して、ベタ基礎上に設置する。次に、成形工程で、設置した支柱型枠内にコンクリートを打設し、その後コンクリートの養生を行って固化させ、支柱基礎を成形する。最後に、支柱型枠取外し工程で、成形された支柱基礎から支柱型枠を取り外す。これにより、ベタ基礎上に立設鉄筋群を内部に有した支柱基礎が構築される。この場合、最後には取り外される支柱型枠で成形するので、支柱型枠は、比較的簡易な形状にすることができ、また、繰り返し使用することができることからコストダウンを図ることができる。また、支柱型枠を取り外す際には、支柱型枠は、内部空間が錐台形状に形成されているので、支柱基礎から抜けやすく、そのため、取り外しを極めて容易に行うことができ、それだけ、施工作業性を向上させることができる。更に、支柱型枠は取り外されるので、コンクリートの注入量により支柱基礎の高さ調整を行なうことができ、従来のように、高さ調整機構を設ける必要がないことから、それだけ、施工作業が容易であり、コストダウンを図ることができる。
【００１６】
そして、構築された支柱基礎は、錐台形状に形成されているので、ベタ基礎に向けて末広がりになり、土台からの圧力がベタ基礎に広範囲に伝達されることから、安定性が向上させられ、土台の支持強度を大幅に向上させることができる。また、支柱基礎は、ベタ基礎の水平鉄筋群に連結されて立設された立設鉄筋群を内部に有しているので、ベタ基礎との結合力が強く、また、補強も強固になることから、この点でも、土台の支持強度を大幅に向上させることができる。更に、空気の流動が円柱状に比較してよりスムーズになる。
【００１７】
また、必要に応じ、予め、上下方向の貫通孔が形成されるとともに上記支柱型枠の上端に架設され該支柱型枠を上記ベタ基礎に対して押えるための押え部材と、上記ベタ基礎内に埋設される下端部を有するとともに上記押え部材の貫通孔に挿通させられ雄ネジ部が形成された先端部を有した押えアンカーボルトと、上記押さ部材の貫通孔に貫通させられた押えアンカーボルトの雄ネジ部に螺合し、締め付けられて上記押え部材を介して上記支柱型枠を上記ベタ基礎側に押圧する押えナットとを用意し、
上記鉄筋群構築工程において、上記押えアンカーボルトをその下端部が上記水平鉄筋群に臨みその先端部が上記立設鉄筋群から突出するように設置し、且つ、上記押えアンカーボルトをその軸線が上記支柱基礎の垂直中心軸線Ｐに沿うように設置し、
上記支柱型枠設置工程において、上記支柱型枠をベタ基礎上に載置し、それから、上記押え部材をその貫通孔を上記押えアンカーボルトの雄ネジ部に挿通させて上記支柱型枠の上端に架設し、その後、上記押えナットを上記押えアンカーボルトの雄ネジ部に螺合して締め付け、該押え部材により上記支柱型枠を上記ベタ基礎に対して押え、
上記支柱型枠取外し工程において、上記支柱型枠を取り外す前に、上記押えナット及び押え部材を上記押えアンカーボルトから外す構成としている。
【００１８】
これにより、この押え部材で支柱型枠をベタ基礎に対して押えるので、成形工程で、設置した支柱型枠内にコンクリートを打設する際、支柱型枠がぐらつくことがなく、確実にコンクリートを充填することができる。
【００１９】
更に、必要に応じ、予め、上記押えアンカーボルトの雄ネジ部に上記支柱基礎の上面位置を示す指標ナットを螺合して設け、
上記成形工程前に、上記指標ナットの位置調整を行なって、該指標ナットにより上記支柱基礎の上面位置を規定する構成としている。指標ナットは、雄ネジ部にロックナットを螺合して、所謂ダブルナットにしてロックすることができる。
指標ナットの位置調整は、指標ナットを回転させる簡単な操作によるので、それだけ、施工作業が容易であり、コストダウンを図ることができる。これにより、指標ナットにより上記支柱基礎の上面位置を規定するので、成形工程において、コンクリートを打設する際、この指標ナットのあるところまで、コンクリートを注入すれば良いことから、確実に所要高さの支柱基礎を構築することができる。また、従来のように、高さ調整機構を設ける必要がないことから、それだけ、施工作業が容易であり、コストダウンを図ることができる。
【００２０】
更にまた、必要に応じ、予め、上記支柱基礎内に埋設されるとともに上記支柱基礎の上面から突出させられる雄ネジ部が形成された先端部を有し、該支柱基礎に設置される土台を固定するための固定アンカーボルトを用意し、
上記成形工程前に、上記固定アンカーボルトをその下端部側が上記立設鉄筋群に臨みその先端部が該立設鉄筋群から突出するように設置し、且つ、上記固定アンカーボルトをその軸線が上記押えアンカーボルトが設置される上記支柱基礎の垂直中心軸線Ｐよりも所定距離離間するように設置し、
上記支柱型枠取外し工程後に、上記押えアンカーボルトの上記支柱基礎の上面から突出した部位を切断する構成としている。
これにより、不要になった押えアンカーボルトを切断するので、固定アンカーボルトを適正位置に設けることができ、汎用性を向上させることができる。
【００２１】
そしてまた、上記目的を達成するため、本発明の建物用基礎の施工方法に用いられる支柱型枠は、上記支柱基礎を成形する支柱型枠であって、内部空間が錐台形状に形成された構成としている。支柱型枠は、比較的簡易な形状にすることができ、また、繰り返し使用することができることからコストダウンを図ることができる。また、支柱型枠を取り外す際には、支柱型枠は、内部空間が錐台形状に形成されているので、支柱基礎から抜けやすく、そのため、取り外しを極めて容易に行うことができ、それだけ、施工作業性を向上させることができる。更に、支柱型枠は取り外されるので、コンクリートの注入量により支柱基礎の高さ調整を行なうことができ、従来のように、高さ調整機構を設ける必要がないことから、それだけ、施工作業が容易であり、コストダウンを図ることができる。
【００２２】
この場合、肉厚が一定で筒状に一体形成されたことが有効である。形状が極めて単純になり、例えば、金属製や硬質樹脂製にして、容易に作成することができ、より一層、コストダウンを図ることができる。また、支柱型枠全体が錘台形状になるので、多数重ねておくことができ、搬送や保管を容易にすることができる。
【発明の効果】
【００２３】
本発明によれば、支柱基礎を施工するときは、最後には取り外される支柱型枠で成形するので、支柱型枠は、比較的簡易な形状にすることができ、また、繰り返し使用することができることからコストダウンを図ることができる。また、支柱型枠を取り外す際には、支柱型枠は、内部空間が錐台形状に形成されているので、支柱基礎から抜けやすく、そのため、取り外しを極めて容易に行うことができ、それだけ、施工作業性を向上させることができる。更に、支柱型枠は取り外されるので、コンクリートの注入量により支柱基礎の高さ調整を行なうことができ、従来のように、高さ調整機構を設ける必要がないことから、それだけ、施工作業が容易であり、コストダウンを図ることができる。
【００２４】
そして、構築された支柱基礎は、錐台形状に形成されているので、ベタ基礎に向けて末広がりになり、土台からの圧力がベタ基礎に広範囲に伝達されることから、安定性が向上させられ、土台の支持強度を大幅に向上させることができる。また、支柱基礎は、ベタ基礎の水平鉄筋群に連結されて立設された立設鉄筋群を内部に有しているので、ベタ基礎との結合力が強く、また、補強も強固になることから、この点でも、土台の支持強度を大幅に向上させることができる。更に、空気の流動が円柱状に比較してよりスムーズになる等、の作用，効果を奏する。
【図面の簡単な説明】
【００２５】
【図１】本発明の実施の形態に係る建物用基礎構造を示す斜視図である。
【図２】本発明の実施の形態に係る建物用基礎構造を示す平面図である。
【図３】本発明の実施の形態に係る建物用基礎構造の要部を土台を設置した状態で示す斜視図である。
【図４】本発明の実施の形態に係る建物用基礎構造の要部を示す断面図である。
【図５】本発明の実施の形態に係る建物用基礎の施工方法を示す工程図である。
【図６】本発明の実施の形態に係る建物用基礎の施工方法で用いられる本発明の実施の形態に係る支柱型枠を示し、（ａ）は斜視図、（ｂ）は平面図、（ｃ）は正面図である。
【図７】本発明の実施の形態に係る建物用基礎の施工方法において、支柱基礎構築工程の成形工程の状態を示し、（ａ）は断面図、（ｂ）は平面図である。
【図８】本発明の実施の形態に係る建物用基礎の施工方法で用いられる本発明の別の実施の形態に係る支柱型枠を示す分解斜視図である。
【図９】従来の建物用基礎構造の一例を示す斜視図である。
【図１０】従来の建物用基礎の施工方法において、支柱基礎の構築状態を示す断面図である。
【発明を実施するための形態】
【００２６】
以下、添付図面に基づいて、本発明の実施の形態に係る建物用基礎構造，建物用基礎の施工方法及びこれに用いる型枠について説明する。
図１乃至図４に示すように、本発明の実施の形態に係る建物用基礎構造Ｋは、敷設された水平鉄筋群２を内部に有したコンクリート製のベタ基礎１と、ベタ基礎１の外周部に立設されるコンクリート製の布基礎３と、布基礎３の内側の所定位置であって水平鉄筋群２に連結されて立設された立設鉄筋群１１を内部に有しベタ基礎１に連設されるコンクリート製の複数の支柱基礎１０とを備えて構成されている。
【００２７】
支柱基礎１０は、内部空間ｅが錐台形状に形成され成形後に取り外される本発明の実施の形態に係る支柱型枠Ｍ（図６及び図７）によって錐台形状に成形されている。錘台形状とは、三角錐台，四角錘台等の角錐台、あるいは、円錐台の形状をいう。実施の形態では、円錐台状に形成されている。本発明の実施の形態に係る支柱型枠Ｍについては後述する。また、支柱基礎１０の外側面のベタ基礎１に対する内角θは、６５°≦θ≦８５°に設定されている。望ましくは、７０°≦θ≦８０°である。実施の形態では、θ＝７５°に設定されている。支柱基礎１０の高さＨは、Ｈ＝３５０ｍｍ〜４００ｍｍ、底面の直径Ｄは、Ｄ＝５００ｍｍ〜５５０ｍｍに設定される。実施の形態では、Ｈ＝３８０ｍｍ、Ｄ＝５３０ｍｍに設定されている。更に、立設鉄筋群１１の外形は、支柱基礎１０の外形と略相似形の錐台形状に形成されている。立設鉄筋群１１の外形とは、この立設鉄筋群１１の垂直中心軸線Ｐを中心にして回転されて形成される外形をいう。これにより、鉄筋群の外側と支柱基礎１０の表面までの所謂「かぶり」といわれる厚さＴを均等なものにすることができ、支柱基礎１０の強度を確実に確保することができる。Ｔ＝４０ｍｍ〜６０ｍｍに設定されている。
【００２８】
また、支柱基礎１０には、支柱基礎１０の上面から突出する雄ネジ部２１を有し支柱基礎１０に設置される土台Ｂを固定するための固定アンカーボルト２０が埋設されている。この固定アンカーボルト２０は、その軸線が支柱基礎１０の垂直中心軸線Ｐよりも所定距離離間した位置に設けられている。固定アンカーボルト２０を利用して土台Ｂを確実に固定することができる。
【００２９】
次に、本発明の実施の形態に係る建物用基礎の施工方法について説明する。実施の形態に係る建物用基礎の施工方法は、図５乃至図７に示すように、上記の実施の形態に係る建物用基礎構造Ｋのものを構築するもので、本発明の実施の形態に係る支柱型枠Ｍを用いる。
【００３０】
本発明の実施の形態に係る支柱型枠Ｍは、図６及び図７に示すように、上記の支柱基礎１０を成形するものであって、内部空間ｅが錐台形状に形成されている。錘台形状とは、三角錐台，四角錘台等の角錐台、あるいは、円錐台の形状をいう。実施の形態では、円錐台状に形成されている。詳しくは、支柱型枠Ｍは、塩化ビニールなどの硬質樹脂で、肉厚ｔが一定で筒状に一体形成されている。肉厚ｔは、ｔ＝５ｍｍ〜１５ｍｍに設定されている。実施の形態では、ｔ＝１２ｍｍに設定されている。
支柱型枠Ｍは、比較的簡易な形状であり、繰り返し使用することができることからコストダウンを図ることができる。
【００３１】
また、実施の形態に係る建物用基礎の施工方法においては、図７に示すように、予め、押え部材３０，押えアンカーボルト３１，押えナット３２及び押えワッシャー３３が用意される。押え部材３０は、木材の角材で形成され、上下方向の貫通孔３４が形成されるとともに、支柱型枠Ｍの上端に架設され支柱型枠Ｍをベタ基礎１に対して押えるための部材である。押えアンカーボルト３１は、ベタ基礎１内に埋設される下端部を有するとともに、押え部材３０の貫通孔３４に挿通させられ雄ネジ部３５が形成された先端部を有している。また、押えアンカーボルト３１は、その軸線が支柱基礎１０の垂直中心軸線Ｐに沿うように設置される。押えナット３２は、押え部材３０の貫通孔３４に貫通させられた押えアンカーボルト３１の雄ネジ部３５に螺合し、締め付けられて押え部材３０を介して支柱型枠Ｍをベタ基礎１側に押圧する。押えワッシャー３３は、押えナット３２と押え部材３０との間に介装される。
【００３２】
また、押えアンカーボルト３１の雄ネジ部３５には、予め、支柱基礎１０の上面位置を示す指標ナット４０が螺合して設けられている。また、この指標ナット４０をロックするロックナット４１も螺合して設けられている。
【００３３】
更に、実施の形態に係る建物用基礎の施工方法においては、予め、支柱基礎１０に設置される土台Ｂを固定するための固定アンカーボルト２０が用意される。固定アンカーボルト２０は、支柱基礎１０内に埋設されるとともに、支柱基礎１０の上面から突出させられる雄ネジ部２１が形成された先端部を有している。
【００３４】
実施の形態に係る建物用基礎の施工方法は、図５の工程図に示すように、鉄筋群構築工程（１）、ベタ基礎構築工程（２）、布基礎構築工程（３）、支柱基礎構築工程（４）とを備えている。支柱基礎構築工程（４）は、支柱型枠設置工程（４−１）、成形工程（４−２）、支柱型枠取外し工程（４−３）を備えている。以下、各工程について説明する。
【００３５】
（１）鉄筋群構築工程
図７（ａ）に示すように、砂利などを敷固めて整地された基礎床に水平鉄筋群２及び立設鉄筋群１１を構築する。立設鉄筋群１１は、水平鉄筋群２に結束線（図示せず）を介して連結される。また、この際に、押えアンカーボルト３１をその下端部が水平鉄筋群２に臨みその先端部が立設鉄筋群１１から突出するように、水平鉄筋群２及び立設鉄筋群１１に結束線（図示せず）を介して結着して設置する。更に、固定アンカーボルト２０をその下端部側が立設鉄筋群１１に臨みその先端部が立設鉄筋群１１から突出するように、立設鉄筋群１１に結束線（図示せず）を介して結着して設置する。尚、固定アンカーボルト２０の設置は、成形工程前であれば、ベタ基礎構築工程後に設置しても良い。また、布基礎３用の鉄筋（図示せず）を水平鉄筋群２に連結して立設させておく。
【００３６】
（２）ベタ基礎構築工程
水平鉄筋群２に、立設鉄筋群１１を露出させた状態でコンクリートを打設し、養生してコンクリートを固化させ、ベタ基礎１を構築する。
【００３７】
（３）布基礎構築工程
ベタ基礎１の周囲に布基礎３を構築する。布基礎３用の鉄筋を包容して布基礎３用の型枠を設置し、これにコンクリートを打設し、養生して固化したならば、型枠を取り外してベタ基礎１の周囲に布基礎３を構築する。尚、布基礎構築工程は、例えば、ブロック状の布基礎（図示せず）をベタ基礎１に構築し、あるいは、上記従来技術で示したように、布基礎３用の埋め込み型の布基礎型枠（図示せず）をベタ基礎１上に設置し、この布基礎型枠にコンクリートを打設して構築する等、適宜の方法で布基礎３を設けて良い。また、布基礎構築工程は、支柱基礎構築工程の後で行っても良く、まだ同時進行により行っても良く、適宜に行って良い。
【００３８】
（４）支柱基礎構築工程
ベタ基礎構築工程後に、構築されたベタ基礎１から露出した立設鉄筋群１１にコンクリートを打設して支柱基礎１０を構築する。以下の工程に従って行う。
【００３９】
（４−１）支柱型枠設置工程
図７に示すように、支柱型枠Ｍをその内部空間ｅに立設鉄筋群１１を包容してベタ基礎１上に設置する。先ず、支柱型枠Ｍをベタ基礎１上に載置し、それから、押え部材３０をその貫通孔３４を押えアンカーボルト３１の雄ネジ部３５に挿通させて支柱型枠Ｍの上端に架設し、その後、押えナット３２を押えワッシャー３３を介して押えアンカーボルト３１の雄ネジ部３５に螺合して締め付け、この押え部材３０により支柱型枠Ｍをベタ基礎１に対して押える。
【００４０】
この状態で、指標ナット４０の位置調整を行なって、指標ナット４０により支柱基礎１０の上面位置を規定する。指標ナット４０は、雄ネジ部３５に螺合させたロックナット４１で、ロックする。指標ナット４０の位置調整は、指標ナット４０を回転させる簡単な操作によるので、それだけ、施工作業が容易であり、コストダウンを図ることができる。尚、指標ナット４０の位置調整は、支柱型枠Ｍを設置する前に行っても良く、要するに、成形工程の前であれば、適時に行って良い。
【００４１】
（４−２）成形工程
設置した支柱型枠Ｍ内にコンクリートを打設して支柱基礎１０を成形する。この成形工程において、コンクリートを打設する際は、指標ナット４０のあるところまで、コンクリートを注入する。適宜コテで均す。この場合、コンクリートの注入量は、支柱基礎１０の上面位置を規定する指標ナット４０の位置で決まるので、確実に所要高さの支柱基礎１０を構築することができる。このため、従来のように、高さ調整機構を設ける必要がないことから、それだけ、施工作業が容易であり、コストダウンを図ることができる。また、支柱型枠Ｍは押え部材３０によりベタ基礎１に対して押えられているので、支柱型枠Ｍ内にコンクリートを打設する際、支柱型枠Ｍがぐらつくことがなく、確実にコンクリートを充填することができる。そして、コンクリートを養生して固化させる。
【００４２】
（４−３）支柱型枠取外し工程
成形された支柱基礎１０から支柱型枠Ｍを取り外す。この場合、先ず、押えナット３２を緩め、この押えナット３２，押えワッシャー３３及び押え部材３０を、押えアンカーボルト３１から外す。この状態で、支柱型枠Ｍを支柱基礎１０から抜いて取り外す。この支柱型枠Ｍを取り外す際には、支柱型枠Ｍは、内部空間ｅが錐台形状に形成されているので、摩擦抵抗が極めて少なく、支柱基礎１０から抜けやすく、そのため、取り外しを極めて容易に行うことができ、それだけ、施工作業性を向上させることができる。これにより、図４に示すように、ベタ基礎１上に立設鉄筋群１１を内部に有した支柱基礎１０が構築される。
【００４３】
そして、支柱型枠取外し工程後に、図４に示すように、押えアンカーボルト３１の支柱基礎１０の上面から突出した部位を切断する。これにより、支柱基礎１０の上面には、固定アンカーボルト２０だけが突出する。不要になった押えアンカーボルト３１を切断するので、固定アンカーボルト２０を適正位置に設けることができ、汎用性を向上させることができる。
【００４４】
このようにして構築された、建物用基礎においては、図３に示すように、建物の土台Ｂが設置され、建物が建築される。この場合、支柱基礎１０に、固定アンカーボルト２０が埋設されているので、この固定アンカーボルト２０を利用して土台Ｂを確実に固定することができる。
そして、構築された支柱基礎１０は、錐台形状に形成されているので、ベタ基礎１に向けて末広がりになり、土台Ｂからの圧力がベタ基礎１に広範囲に伝達されることから、安定性が向上させられ、土台Ｂの支持強度を大幅に向上させることができる。また、支柱基礎１０は、ベタ基礎１の水平鉄筋群２に連結されて立設された立設鉄筋群１１を内部に有しているので、ベタ基礎１との結合力が強く、また、補強も強固になることから、この点でも、土台Ｂの支持強度を大幅に向上させることができる。更に、空気の流動が円柱状に比較してよりスムーズになる。
【００４５】
また、支柱基礎１０の外側面のベタ基礎１に対する内角θが、６５°≦θ≦８５°、望ましくは、７０°≦θ≦８０°、実施の形態では、θ＝７５°に設定されているので、この範囲で支持安定性及び空気流通性を確実に確保することができる。更に、立設鉄筋群１１の外形を、支柱基礎１０の外形と略相似形の錐台形状に形成したので、立設鉄筋群１１の外側と支柱基礎１０の表面までの所謂「かぶり」といわれる厚さを均等なものにすることができ、支柱基礎１０の強度を確実に確保することができる。
【００４６】
尚、上記実施の形態において、支柱型枠Ｍを、塩化ビニールなどの硬質樹脂で、肉厚ｔが一定で筒状に一体形成したが、必ずしもこれに限定されるものではなく、例えば、図８に示すように、金属板などで分割形成し、使用時に結合して用いるようにしても良く、適宜変更して差し支えない。また、支柱型枠Ｍ及び支柱基礎１０を円錐台状に形成したが、必ずしもこれに限定されるものではなく、三角錐台，四角錘台等の角錐台に形成して良く、適宜変更して差支えない。
【符号の説明】
【００４７】
Ｋ  建物用基礎構造
Ｍ  型枠
ｅ  内部空間
１  ベタ基礎
２  水平鉄筋群
３  布基礎
１０  支柱基礎
１１  立設鉄筋群
Ｐ  垂直中心軸線
２０  固定アンカーボルト
２１  雄ネジ部
３０  押え部材
３１  押えアンカーボルト
３２  押えナット
３３  押えワッシャー
３４  貫通孔
３５  雄ネジ部
４０  指標ナット
４１  ロックナット
（１）鉄筋群構築工程
（２）ベタ基礎構築工程
（３）布基礎構築工程
（４）支柱基礎構築工程
（４−１）支柱型枠設置工程
（４−２）成形工程
（４−３）支柱型枠取外し工程
【図１】
0006529009.tif 000002
【図２】
0006529009.tif 000003
【図３】
0006529009.tif 000004
【図４】
0006529009.tif 000005
【図５】
0006529009.tif 000006
【図６】
0006529009.tif 000007
【図７】
0006529009.tif 000008
【図８】
0006529009.tif 000009
【図９】
0006529009.tif 000010
【図１０】
0006529009.tif 000011